(57)【要約】  【課題】  ＣＤプレーヤの蓋体のロック機構において、そのロックを解除するための操作力を軽減し、操作のストロークが小さくて操作性が良好で、しかも省スペース型のロック機構を提供する。  【解決手段】  キャビネットのヒンジ１３に対して反対側の前端部に一対のロックレバー４１、４２を配し、これらのロックレバー４１、４２を共通の引張りコイルばね５７によってロック方向に回動付勢し、これらのロックレバー４１、４２のロック部４５、４６によって蓋体１２側の被係止爪３３、３４を係止してロックする。ロックレバー４１、４２の操作部４７、４８を互いにつまむように近接する方向に押圧すると、ロックレバー４１、４２のロック部４５、４６による被係止爪３３、３４のロックが解除され、これによって蓋体１２のロック動作が解除される。【選択図】  図９
2006070541.tif 000002
【特許請求の範囲】
【請求項１】
キャビネットの開口部を開閉自在な蓋体で覆うようにした装置において、
前記蓋体にほぼ左右対称に設けられた一対の被係止部と、
前記一対の被係止部に対応して前記キャビネット側にほぼ左右対称に配され、前記蓋体が閉じたときに前記一対の被係止部に係合してロックする一対のロック部材と、
を具備し、前記一対のロック部材の操作部を互いに近接する方向に操作すると前記一対のロック部材によるロックが解除されることを特徴とする蓋体のロック装置。
【請求項２】
前記蓋体を回動可能に支持するヒンジに対して前記蓋体の最も遠い位置に前記一対の被係止部が設けられるとともに、該被係止部に対応して前記キャビネット側に一対のロック部材が組込まれることを特徴とする請求項１に記載の蓋体のロック装置。
【請求項３】
前記一対のロック部材がともにロックレバーから構成され、これら一対のロックレバーが連動手段を介して互いに反対方向に回動されるように連動されることを特徴とする請求項１に記載の蓋体のロック装置。
【請求項４】
前記一対のロックレバーの支点に対して操作部とは反対側に引張りコイルばねが掛渡され、前記一対のロックレバーがそれぞれロック方向であって操作部が互いに離間する方向に付勢されることを特徴とする請求項３に記載の蓋体のロック装置。
【請求項５】
前記一対のロックレバーの内の一方がばねによってロック方向に回動付勢されるとともに、該ばねによる回動付勢力が連動手段を介して他方のロックレバーに伝達されることを特徴とする請求項３に記載の蓋体のロック装置。
【請求項６】
前記一方のロックレバーの支軸に巻付けて取付けられたねじりコイルばねによって該一方のロックレバーが回動付勢されることを特徴とする請求項５に記載の蓋体のロック装置。
【請求項７】
前記一対のロック部材がともにロックレバーから構成され、これら一対のロックレバーが互いに独立であってかつ付勢手段によってそれぞれロック方向であって操作部が互いに離間する方向に付勢されることを特徴とする請求項１に記載の蓋体のロック装置。
【請求項８】
前記一対のロックレバーを付勢する付勢手段が共通であって、前記一対のロックレバー間に配されたねじりコイルばねから構成され、その両端のアームがそれぞれ前記一対のロックレバーに係止されることを特徴とする請求項７に記載の蓋体のロック装置。
【請求項９】
前記一対のロック部材がともにロック方向とロック解除方向とに摺動可能なロック用スライダから構成され、付勢手段によってそれぞれロック方向であって操作部が互いに離間する方向に付勢されることを特徴とする請求項１に記載の蓋体のロック装置。
【請求項１０】
前記一対のロック用スライダを付勢する付勢手段が共通であって、前記一対のロック用スライダ間に配されたねじりコイルばねから構成され、その両端のアームがそれぞれ前記一対のロック用スライダに係止されることを特徴とする請求項９に記載の蓋体のロック装置。
【発明の詳細な説明】
【技術分野】
【０００１】
本発明は蓋体のロック装置に係り、とくにキャビネットの開口部を開閉自在な蓋体で覆うようにした装置における蓋体のロック装置に関する。
【背景技術】
【０００２】
光ディスク、とくにＣＤ（Ｃｏｍｐａｃｔ  ｄｉｓｃ）を用いたポータブル型のディスクプレーヤが広く普及している。この種のディスクプレーヤは、ＣＤよりも一回り大きなほぼ皿状をなすキャビネットを備え、その上面が装着面になっており、この装着面にＣＤを装着し、キャビネットに対して開閉自在になっている蓋体を閉じて上記ＣＤを覆った状態でキャビネット内でＣＤを回転駆動し、これによってＣＤに記録されている音楽を再生し、ヘッドフォンやイヤフォンで聴くことができるようになっている。
【０００３】
従ってこのようなポータブルタイプのＣＤプレーヤにおいては、ＣＤの再生動作中に不測に蓋体が開くと事故の原因になる。そこでキャビネットに対して回動自在になっている蓋体をロック機構によって閉じた状態でロックするようにしている。通常はキャビネット側にスライド式のロック機構が設けられ、このロック機構をロック方向に移動させることによって、蓋体側の係止爪に係合させてロックを行なうようにしている。
【０００４】
このようなキャビネット側のスライドつまみによる一方向のロックであると、このプレーヤに衝撃が加わった場合にロックが外れ、これによって蓋体が開いたり、あるいはロック機構のロック爪が損傷し、これによってＣＤにダメージを与える可能性がある。このためにこのような事故を防止するべく、つまみ等を補強しなければならず、これによってプレーヤのセットの大きさが大きくなる問題がある。
【０００５】
特開平８−１８０６６３号公報には、コンパクトディスクプレーヤ等ディスクを収納する小型音響機器本体に開閉自在に設けられている蓋体のロック装置であって、蓋体側の内面に設けられた機器本体に直接係止する複数の回動自在なロックレバーと、このロックレバーを係止方向に操作するべく蓋体に摺動可能に設けられた操作つまみと、ロックレバーが係止されるべく機器本体に設けられた複数の係止部とを備え、蓋体の閉蓋時に操作つまみによりロックレバーを操作して蓋体を機器本体に対して直接係止するようにし、蓋体の機器本体とのロックを小型化を損うことなく確実に実施でき、さらに機器を持運ぶ際不用意に操作釦が切替ることを防止できるホールド機能との連動を同時に行なえる蓋ロック装置が開示されている。
【０００６】
この機構は蓋体側に一対のロックレバーを配するものであって、これら一対のロックレバーを動作板を介して動作させるために、部品点数が増え、ストロークロスを生じ、動作力の増加等の感触がよくない原因になっている。
【０００７】
また特開２０００−１７３２５６号公報には、挟持手段が、板状のベースと、ベースに立設される一対の支軸と、支軸が挿通されて支持される一対のスライド板と、スライド板を付勢するスプリングと、スライド板に形成されるギヤ部に挟持されるギヤとで構成され、蓋体を閉止する際にスライド板が移動し蓋体に形成される係止部をスライド板に形成される挟持部で挟持して係止し、係止部を一対のスライド板の挟持部で挟持する構成とし、蓋体の閉止状態を確実に維持できるようにし、係止部に対する力の分力によって閉止時の蓋体のガタツキが防止されるとともに、装置本体に対する蓋体の片寄りが防止されるようにした蓋体開閉装置が提案されている。
【０００８】
この機構は、蓋体側に設けられた単一の係止部をキャビネット側の一対のスライド板によって係止してロックする機構であって、互いに重ねて配されるスライド板の駆動機構としてラックアンドピニオンの機構を採用しているために、構造が複雑になる欠点がある。
【特許文献１】特開平８−１８０６６３号公報
【特許文献２】特開２０００−１７３２５６号公報
【発明の開示】
【発明が解決しようとする課題】
【０００９】
本願発明の課題は、衝撃が加わってもロックが外れて蓋体が開かないようにした蓋体のロック装置を提供することである。
【００１０】
本願発明の別の課題は、衝撃が加わった場合において、蓋体をロックするロック爪が損傷することによって、装置や記録媒体にダメージを与えることがないようにした蓋体のロック装置を提供することである。
【００１１】
本願発明のさらに別の課題は、ロック機構のつまみの補強が必要となってセットが大きくなることが回避されるようにした蓋体のロック装置を提供することである。
【００１２】
本願発明のさらに別の課題は、部品点数が増加して構造が複雑になることを防止するようにした蓋体のロック装置を提供することである。
【００１３】
本願発明のさらに別の課題は、ストロークロスを生じて操作力の増加等による感触の悪化を防止するようにした蓋体のロック装置を提供することである。
【００１４】
本願発明のさらに別の課題は、ロックを解除する際の操作力が軽く、しかもつまみのストロークが小さくて操作性が改善されるようにした蓋体のロック装置を提供することである。
【００１５】
本願発明のさらに別の課題は、２つのつまみを回動運動方向で動作させるようにし、ロスが軽減されかつスペースが少なくなるようにした蓋体のロック装置を提供することである。
【００１６】
本願発明のさらに別の課題は、ロックつまみの部分の配置を平面的に構成し、これによって装置の小型化および薄型化を達成し得るようにした蓋体のロック装置を提供することである。
【００１７】
本願発明のさらに別の課題は、片側の操作部の操作のみによっても蓋体のロックの解除が可能な蓋体のロック装置を提供することである。
【００１８】
本願発明の上記の課題および別の課題は、以下に述べる本願発明の技術的思想およびその実施の形態によって明らかにされよう。
【課題を解決するための手段】
【００１９】
本願の主要な発明は、キャビネットの開口部を開閉自在な蓋体で覆うようにした装置において、
前記蓋体にほぼ左右対称に設けられた一対の被係止部と、
前記一対の被係止部に対応して前記キャビネット側にほぼ左右対称に配され、前記蓋体が閉じたときに前記一対の被係止部に係合してロックする一対のロック部材と、
を具備し、前記一対のロック部材の操作部を互いに近接する方向に操作すると前記一対のロック部材によるロックが解除されることを特徴とする蓋体のロック装置に関するものである。
【００２０】
ここで前記蓋体を回動可能に支持するヒンジに対して前記蓋体の最も遠い位置に前記一対の被係止部が設けられるとともに、該被係止部に対応して前記キャビネット側に一対のロック部材が組込まれてよい。また前記一対のロック部材がともにロックレバーから構成され、これら一対のロックレバーが連動手段を介して互いに反対方向に回動されるように連動されてよい。また前記一対のロックレバーの支点に対して操作部とは反対側に引張りコイルばねが掛渡され、前記一対のロックレバーがそれぞれロック方向であって操作部が互いに離間する方向に付勢されてよい。
【００２１】
また前記一対のロックレバーの内の一方がばねによってロック方向に回動付勢されるとともに、該ばねによる回動付勢力が連動手段を介して他方のロックレバーに伝達されてよい。また前記一方のロックレバーの支軸に巻付けて取付けられたねじりコイルばねによって該一方のロックレバーが回動付勢されてよい。
【００２２】
また前記一対のロック部材がともにロックレバーから構成され、これら一対のロックレバーが互いに独立であってかつ付勢手段によってそれぞれロック方向であって操作部が互いに離間する方向に付勢されてよい。また前記一対のロックレバーを付勢する付勢手段が共通であって、前記一対のロックレバー間に配されたねじりコイルばねから構成され、その両端のアームがそれぞれ前記一対のロックレバーに係止されてよい。
【００２３】
また前記一対のロック部材がともにロック方向とロック解除方向とに摺動可能なロック用スライダから構成され、付勢手段によってそれぞれロック方向であって操作部が互いに離間する方向に付勢されてよい。また前記一対のロック用スライダを付勢する付勢手段が共通であって、前記一対のロック用スライダ間に配されたねじりコイルばねから構成され、その両端のアームがそれぞれ前記一対のロック用スライダに係止されてよい。
【００２４】
本願発明の好ましい態様は、装置の小型化および薄型化を図るために、互いに対向するように配された向かい合わせの対称形状のつまみによって、回転方向の操作力によって蓋体のダブルロック機構を達成するようにしたものである。ここで２つのつまみを連動させておくことにより、どちらか片側のつまみのつまみ操作のみによっても、蓋のロック解除が可能になる。
【００２５】
上記のような態様によると、２つのつまみをそれぞれダイレクトに押してロック解除する操作力が軽くなり、つまみのストロークも小さくて操作性が改善される。また２つのつまみを回転運動方向に動作させることによって、操作力のロスの軽減を図りながらしかも要するスペースを小さくできるようになる。またつまみ部を平面的に構成することによって、装置の小型化と薄型化とが同時に達成される。また両側のつまみを連動させておくことにより、片側のつまみの操作のみで蓋のロックを解除することができ、操作性がよくなる。
【発明の効果】
【００２６】
本願の主要な発明は、キャビネットの上部を開閉自在な蓋体で覆うようにした装置において、蓋体にほぼ左右対称に設けられた一対の被係止部と、一対の被係止部に対応してキャビネット側にほぼ左右対称に配され、蓋体が閉じたときに一対の被係止部に係止してロックする一対のロック部材と、を具備し、一対のロック部材の操作部を互いに近接する方向に操作すると一対のロック部材によるロックが解除されるようにしたものである。
【００２７】
従ってこのような蓋体のロック装置によれば、一対のロック部材の操作部を互いに近接する方向に操作すると、これらの操作部を備える一対のロック部材と蓋体側の被係止部との係合が解除され、一対のロック部材によるロックが解除されて蓋体を解放できるようになる。
【発明を実施するための最良の形態】
【００２８】
以下本願発明を図示の実施の形態によって説明する。本実施の形態はＣＤプレーヤに関するものであって、図１および図２に示すように、その外筐が偏平な皿状をなすキャビネット１１と、このキャビネット１１の上部に開閉自在に取付けられた蓋体１２とから構成されている。すなわち蓋体１２は図３および図４に示すようにヒンジ１３によってキャビネット１１の背面側の部分に開閉自在に取付けられている。
【００２９】
上記蓋体１２が開かれたときに露出される装着面１４は上面板によって構成され、しかもこの装着面１４には異形の凹部１５が形成され、この凹部１５にピックアップユニット１６が取付けられる。ピックアップユニット１６は後述する光ディスクの半径方向に移動可能なピックアップ１７を備えている。またピックアップユニット１６はキャビネット１１のほぼ中心部と対応する位置にセンタチャック１８を備えており、内蔵されているスピンドルモータによって回転駆動されるようになっている。さらに装着面１４には電池収納部１９が形成され、この電池収納部１９を電池蓋２０で開閉自在に覆うようにしている。
【００３０】
図４はこのようなＣＤプレーヤの装着面１４に光ディスク（ＣＤ）２２を装着する状態を示しており、光ディスク２２の中心孔２３をセンタチャック１８に係合させるようにしている。従ってこのような状態で光ディスク２２を上記センタチャック１８を介してスピンドルモータで回転駆動させるとともに、凹部１５に組込まれたピックアップユニット１６のピックアップ１７を光ディスク２２の下面に沿ってその半径方向に移動させることによって、この光ディスク２２に書込まれた情報を再生できるようになる。
【００３１】
なおこのようなＣＤ２２の再生操作にために、蓋体１２上には図１に示すように、表示部２５と操作釦２６とが設けられ、光ディスク２２による再生の状態を表示し、あるいはまた再生のモードの選択を行ない得るようにしている。
【００３２】
つぎにこのようなディスクプレーヤの蓋体１２のロック機構について図５〜図８によって説明する。蓋体１２のヒンジ１３によって支持される部分とは反対側の前側の端部には前方に突出するように突部３０が形成され、この突部３０の下面に被係止部材３１が固着されている。被係止部材３１は突部３０の周縁に沿って周方向に延びるとともに、その長さ方向の両端に下方に突出するように被係止爪３３、３４が形成されている。
【００３３】
これに対してキャビネット１１の前端側であってヒンジ１３とは反対側の部分には前方に突出するように突部３７が形成される。そして突部３７にはその上部に円弧状リブ３８が形成される。なお円弧状リブ３８の内周縁が上記光ディスク２２の外周縁と対向するようになっている。そして上記円弧状リブ３８の一対の切込み３９、４０によって、その下側のロックレバー４１、４２がロック可能に露出するようになっている。
【００３４】
ロックレバー４１、４２はとくに図８および図９に示すように、前端側に切込み４３、４４を備えるとともに、これらの切込み４３、４４の互いに近接する側縁がそれぞれ傾斜面から成るロック部４５、４６を形成している。またロックレバー４１、４２はそれぞれその肩の部分が操作部４７、４８になっている。
【００３５】
上述のようなロックレバー４１、４２はそれぞれキャビネット１１の底面に植設された支軸４９、５０によって回動可能に支持される。またこれらのロックレバー４１、４２には互いに近接する方向にアーム５１、５２が突設されるとともに、これらのアーム５１、５２の重合う部分は連結ピン５３によって回動自在に連結される。またロックレバー４１、４２にはそのロック部４５、４６とは反対側に突出するように突部５５、５６が突設され、これらの突部５５、５６間に引張りコイルばね５７が掛渡される。
【００３６】
従ってこのようなＣＤプレーヤによれば、図９において実線で示すように、一対のロックレバー４１、４２はそれらの突部５５、５６間に掛渡された引張りコイルばね５７の弾性復元力によって、ロック部４５、４６が互いに離間する方向であって蓋体１２側の被係止部材３１の被係止爪３３、３４と係合する方向に回動付勢されることになる。ロックレバー４１、４２のロック部４５、４６はそれぞれ蓋体１２の被係止部材３１の被係止爪３３、３４の内側の切欠かれた段部内に係合し、これによって蓋体１２をロックする。
【００３７】
これに対して図１および図２に示すように蓋体１２が閉じられた状態で、図９に示す一対のロックレバー４１、４２の操作部４７、４８を互いに近接する方向に押圧すると、左右のロックレバー４１、４２は引張りコイルばね５７に抗して支軸４９、５０を中心としてそれぞれ反時計方向および時計方向に回動し、これによってロックレバー４１、４２は実線の状態から鎖線の状態に変化する。このようなロックレバー４１、４２の運動は、それらのロック部４５、４６が互いに近接するとともに、これらのロック部４５、４６が蓋体１２側の被係止部材３１の被係止爪３３、３４から離脱する方向である。従ってこのような操作によって、ロックレバー４１、４２による蓋体１２のロックが解除される。
【００３８】
従って図３あるいは図４に示すように蓋体１２が解放された状態で、この蓋体１２をヒンジ１３を中心として回動させ、キャビネット１１の上部の装着面１４を覆うように閉じると、蓋体１２側の被係止部材３１の被係止爪３３、３４がそれぞれロックレバー４１、４２の傾斜面から成るロック部４５、４６を押圧し、これらのロックレバー４１、４２を引張りコイルばね５７に抗して実線で示す方向に回動させる。そして被係止爪３３、３４がロックレバー４１、４２のロック部４５、４６を乗越えると、今度は引張りコイルばね５７の弾性復元力によって、一対のロックレバー４１、４２がそれぞれ支軸４９、５０を中心として実線で示す状態から鎖線で示す状態に回動する。これによって蓋体１２のロックが行なわれる。
【００３９】
逆に蓋体１２が閉じられた状態でロックレバー４１、４２の操作部４７、４８をつまんで互いに近接するように押圧すると、これらのロックレバー４１、４２が互いに近接する方向であってロック部４５、４６が蓋体１２の被係止部材３１の被係止爪３３、３４からら離脱する方向に回動する。これによって蓋体１２のロックが解除されることになり、ヒンジ１３に内蔵されるばねによって蓋体１２が解放動作する。
【００４０】
このように本実施の形態のＣＤプレーヤは、蓋体１２が閉じている状態において突部３０、３７の側部に突出している操作部４７、４８をつまむようにしてこれらを互いに近接する方向に押すことによって、ロックレバー４１、４２のロック部４５、４６による蓋体１２側の被係止部材３１の被係止爪３３、３４のロックが外れ、蓋体１２はヒンジ１３に内蔵されたねじりコイルばねの力によって持上げられ、蓋体１２が開くようになる。また蓋体１２を閉じると、ロックレバー４１、４２のロック部４５、４６を蓋体１２側の被係止爪３３、３４が乗越え、この状態でロックレバー４１、４２のロック部４５、４６が引張りコイルばね５７の力によって蓋体１２をロックして保持する。
【００４１】
従ってこのようなロック機構によると、２つの操作部４７、４８をそれぞれ操作する操作力が軽くて済み、つまみのストロークも少なくて操作性が改善される。また２つのつまみ４７、４８をディスク２２の回転運動方向の動作で達成するようにしているために、ロスが軽減され、ロックのためのスペースも少なくて済む。またロック用の操作部４７、４８を突部３０、３７の側方に突出するようにして平面的に配置しているために、プレーヤの小型化と薄型化が達成される。またロックレバー４１、４２がアーム５１、５２と連結ピン５３とによって互いに連動しているために、操作部４７、４８の内の一方のつまみ操作だけでも蓋体１２のロックの解除を行なうことができ、操作性が良好になる。
【００４２】
次に別の実施の形態を図１０によって説明する。この実施の形態は、上記実施の形態における引張りコイルばね５７に代えて、ねじりコイルばね６１を用いるようにしたものである。ねじりコイルばね６１は一方の、例えロックレバー４１の支軸４９に巻付けられて取付けられており、このねじりコイルばね６１の一方のアームがロックレバー４１の係止ピン６２に係止され、他方のアームがキャビネット１１上の係止ピン６３に係止される構造になっている。またロックレバー４１の回動位置を規制するために一対のストッパ６５、６６が設けられ、他方のロックレバー４１、４２の回動角度を規制するためにストッパ６７、６８が設けられている。これらのストッパ６５〜６８は、キャビネット１１の底面の内表面に植設されている。
【００４３】
このような構成によれば、ロックレバー４１は支軸４９に巻付けられたねじりコイルばね６１によって支軸４９を中心とする時計方向の回動付勢力を受ける。そしてこの回動付勢力は、アーム５１、連結ピン５３、アーム５１を介して他方のロックレバー４２に伝達され、他方のロックレバー４２は支軸５０を中心として反時計方向の回動付勢力を受けることになる。従ってこのような構成によっても、上記第１の実施の形態と同様の作用効果を奏することが可能になる。しかもこの構成によれば、ロックレバー４１、４２に背面側に突出するように突部５５、５６を形成する必要がなくなるために、ロック機構をコンパクトに構成できるようになる。
【００４４】
次にさらに別の実施の形態を図１１によって説明する。この実施の形態は左右のロックレバー４１、４２をその中間に配されたねじりコイルばね７１によって互いに逆方向に回動付勢するようにしている。ねじりコイルばね７１はロックレバー４１、４２の支軸４９、５０間に配されたボス７２に巻付けられるとともに、これらのねじりコイルばね７１の両端のアームがそれぞれロックレバー４１、４２の被係止部７３、７４に係止されるようになっている。
【００４５】
従ってこのような構成によれば、左側のロックレバー４１はねじりコイルばね７１によって、支軸４９を中心として時計方向の回動付勢力を受けることになる。また反対側のロックレバー４２はねじりコイルばね７１によって支軸５０を中心として時計方向の回動付勢力を受けることになる。従ってこのような構成によっても、一対のロックレバー４１、４２による蓋体１２の被係止爪３３、３４をロックするロック動作は、上記第１の実施の形態と同様になる。しかもここでは、一対のロックレバー４１、４２が直接的な連動機構を有しておらず、しかもねじりコイルばね７１が一対のロックレバー４１、４２間に配されているために、部品点数が少なくなって、しかも省スペース化が図られる。
【００４６】
次にさらに別の実施の形態を図１２によって説明する。この実施の形態はキャビネット１１の突部３７の上に左右一対のロック用スライダ８１、８２をそれぞれ摺動可能に配するようにしている。なお左側のロック用スライダ８１はガイド８９、９０によって摺動可能に支持され、右側のロック用スライダ８２はガイド９１、９２によって摺動可能に支持される。
【００４７】
これらのロック用スライダ８１、８２は切込み８３、８４を有し、これらの切込み８３、８４の互いに近接する方向の側端面が傾斜部から成るロック部８５、８６を構成している。またこれらのロック用スライダ８１、８２の両側端であって突部３７から側方に突出する部分が操作部８７、８８になっている。
【００４８】
しかもこれら一対のロック用スライダ８１、８２は互いに離間する方向に、ねじりコイルばね９３によって付勢される。キャビネット１１の底面上に植設されたボス９４にねじりコイルばね９３が巻付けられて取付けられており、ねじりコイルばね９３の両側のアームがそれぞれロック用スライダ８１、８２の被係止部９５、９６に係止されている。従ってロック用スライダ８１は左方に、ロック用スライダ８２は右方にそれぞれ摺動付勢される。
【００４９】
このような構成によれば、開いている蓋体１２を閉じると、その突部３０の下側に設けられている被係止部材３１の被係止爪３３、３４がロック用スライダ８１、８２の傾斜部から成るロック部８５、８６を乗越え、これによって被係止爪３３、３４がロック用スライダ８１、８２のロック部８５、８６でそれぞれロックされる。またロックされた状態において、突部３７の両側に突出する操作部８７、８８をつまむように互いに近接する方向に押圧すると、操作部８７、８８を有するロック用スライダ８１、８２がそれぞれねじりコイルばね９３の付勢力に抗して互いに近接する方向に移動し、ロック用スライダ８１、８２のロック部８５、８６と蓋体１２側の被係止爪３３、３４との係合が解除される。これによって蓋体１２のロックが解除され、蓋体１２はヒンジ１３に内蔵されたばねによって自動的に解放される。
【００５０】
このような構成は、ロックレバー４１、４２に代えてロック用スライダ８１、８２によって上記実施の形態と同様の動作を達成するようにしたものである。従ってこのような構成によっても、上記実施の形態と同様の作用効果を奏することが可能になる。
【００５１】
以上本願発明を図示の実施の形態によって説明したが、本願発明は上記実施の形態によって限定されることなく、本願に含まれる発明の技術的思想の範囲内において各種の変更が可能である。例えば上記実施の形態は、ＣＤを用いるディスクプレーヤに関するものであるが、本願発明はキャビネットに回動可能な蓋体を取付けた各種の機器における蓋体のロック装置に広く適用可能である。またロックレバーあるいはロック用スライダの具体的な構造やその支持機構については各種の設計変更が可能である。
【産業上の利用可能性】
【００５２】
本願発明は、例えばＣＤプレーヤの蓋体のロック装置に広く利用可能である。
【図面の簡単な説明】
【００５３】
【図１】ポータブルＣＤプレーヤの平面図である。
【図２】同ＣＤプレーヤの側面図である。
【図３】蓋体を開放した状態のＣＤプレーヤの外観斜視図である。
【図４】ＣＤを装着したＣＤプレーヤの外観斜視図である。
【図５】キャビネットの前端側のロック機構の部分を示す平面図である。
【図６】同正面図である。
【図７】同要部側断面図である。
【図８】ロック機構の分解斜視図である。
【図９】ロック動作を示す拡大平面図である。
【図１０】別の実施の形態のロック機構の要部拡大平面図である。
【図１１】さらに別の実施の形態のロック機構の要部拡大平面図である。
【図１２】さらに別の実施の形態のロック機構の要部拡大平面図である。
【符号の説明】
【００５４】
１１‥‥キャビネット、１２‥‥蓋体、１３‥‥ヒンジ、１４‥‥装着面（上面板）、１５‥‥凹部、１６‥‥ピックアップユニット、１７‥‥ピックアップ、１８‥‥センタチャック、１９‥‥電池収納部、２０‥‥電池蓋、２２‥‥光ディスク（ＣＤ）、２３‥‥中心孔、２５‥‥表示部、２６‥‥操作釦、３０‥‥突部、３１‥‥被係止部材、３３、３４‥‥被係止爪、３７‥‥突部、３８‥‥円弧状リブ、３９、４０‥‥切込み、４１‥‥ロックレバー（左）、４２‥‥ロックレバー（右）、４３、４４‥‥切込み、４５、４６‥‥ロック部（傾斜面）、４７、４８‥‥操作部、４９、５０‥‥支軸、５１、５２‥‥アーム、５３‥‥連結ピン、５５、５６‥‥突部、５７‥‥引張りコイルばね、６１‥‥ねじりコイルばね、６２、６３‥‥係止ピン、６５〜６８‥‥ストッパ、７１‥‥ねじりコイルばね、７２‥‥ボス、７３、７４‥‥被係止部、８１‥‥ロック用スライダ（左）、８２‥‥ロック用スライダ（右）、８３、８４‥‥切込み、８５、８６‥‥ロック部（傾斜部）、８７、８８‥‥操作部、８９〜９２‥‥ガイド、９３‥‥ねじりコイルばね、９４‥‥ボス、９５、９６‥‥被係止部
【図１】
2006070541.tif 000003
【図２】
2006070541.tif 000004
【図３】
2006070541.tif 000005
【図４】
2006070541.tif 000006
【図５】
2006070541.tif 000007
【図６】
2006070541.tif 000008
【図７】
2006070541.tif 000009
【図８】
2006070541.tif 000010
【図９】
2006070541.tif 000011
【図１０】
2006070541.tif 000012
【図１１】
2006070541.tif 000013
【図１２】
2006070541.tif 000014